(57)【要約】【課題】既設の建築物に対しても施工が容易となって、耐震工事の低コスト化が有利に図られ得ると共に、耐震強度が十分に確保され得る、建築物の新規な耐震補強構造を提供する。【解決手段】引戸枠１２の四隅部のそれぞれにおいて、引戸枠１２の幅方向中間部分で枠内方に広がる平板形状の補強用隅金具３０，３６を固定する一方、引戸１４，１６において、引戸枠１２の四隅部に対応する角部に対して切込状のスリット７０，８０を形成し、引戸１４，１６が引戸枠１２内の端部に移動せしめられた際に、補強用隅金具３０，３６がスリット７０，８０に差し入れられて収容状態となるようにした。【選択図】図１
2008267005.tif 000002
【特許請求の範囲】
【請求項１】
構造材に固設された矩形状の引戸枠に対して引戸が開閉可能に組み付けられた引戸式建具を備えた建築物の耐震補強構造であって、
前記引戸枠の四隅部のそれぞれにおいて、該引戸枠の幅方向中間部分で枠内方に広がる平板形状の補強用隅金具を固定する一方、前記引戸において、該引戸枠の四隅部に対応する角部に対して切込状のスリットを形成し、該引戸が該引戸枠内の端部に移動せしめられた際に、該引戸枠の該補強用隅金具が該引戸の該スリットに差し入れられて収容状態となるようにしたことを特徴とする建築物の耐震補強構造。
【請求項２】
前記引戸枠を一体的な矩形枠体構造を有する金属製引戸枠とする請求項１に記載の建築物の耐震補強構造。
【請求項３】
前記引戸が戸板部材と該戸板部材の外周縁部に固設される矩形枠状の縁金具を含んで構成されて、該戸板部材の角部が該縁金具の隅部にまで達しない切り欠き形状を呈していると共に、該縁金具には隅部と角部を貫通する通孔が形成されており、該戸板部材の角部から該縁金具の角部にかけて幅方向両側から挟み込むようにして一対の平板形状の補助金具を固定することで、該戸板部材の角部における該一対の補助金具の幅方向の対向面間に隙間を形成し、該隙間が該縁金具の通孔を通じて外部に開口することにより、該引戸の前記スリットを構成した請求項１又は２に記載の建築物の耐震補強構造。
【請求項４】
前記一対の補助金具の対向面間における前記スリットの底部側の対向部分に接続板部が一体形成されて、該一対の補助金具が一体的に接続されていると共に、該接続板部の縁部が、該スリットの底部を構成する前記引戸の切込み状の角部に流体密に重ね合わせられている請求項３に記載の建築物の耐震補強構造。
【請求項５】
前記引戸枠の幅方向両側部分に枠内方に立ち上がる竪壁部を突設しており、前記引戸が該引戸枠内の端部に移動せしめられて該引戸枠の前記補強用隅金具が該引戸の前記スリットに差し入れられた際に、該一対の竪壁部の対向面間に該引戸の端部が位置せしめられ、且つ竪壁部の突出先端部分が該引戸の端部よりも枠内方に位置せしめられるようにした請求項１乃至４の何れか一項に記載の建築物の耐震補強構造。
【請求項６】
前記引戸の外周部分にジャッキ部材を設けて、該ジャッキ部材が該引戸から外方に突出して前記引戸枠に当接する請求項１乃至５の何れか一項に記載の建築物の耐震補強構造。
【請求項７】
矩形状の引戸枠に対して引戸が開閉可能に組み付けられて、建築物の構造材に固設される引戸式建具であって、
前記引戸枠の四隅部のそれぞれにおいて、該引戸枠の幅方向中間部分で枠内方に広がる平板形状の補強用隅金具を固定する一方、前記引戸において、該引戸枠の四隅部に対応する角部に対して切込状のスリットを形成し、該引戸が該引戸枠内の端部に移動せしめられた際に、該引戸枠の該補強用隅金具が該引戸の該スリットに差し入れられて収容状態となるようにしたことを特徴とする引戸式建具。
【請求項８】
構造材に固設された矩形状の引戸枠に対して引戸が開閉可能に組み付けられた引戸式建具に用いられる補強金具において、
平板形状を有する補強用隅金具を備えており、該補強用隅金具には、前記引戸枠の隅部に固定される隅側固定部と、該引戸枠の隅部から枠内方に向かって突出して、前記引戸の角部に形成された切込状のスリットに差し入れられて収容状態となる差込部が設けられていることを特徴とする補強金具。
【請求項９】
平板形状を有する補助金具の一対を備えており、該補助金具には、前記引戸の角部に幅方向両側から挟み込むように固定される角側固定部が設けられていて、該一対の補助金具が該引戸の角部に固定されて幅方向に所定の距離を隔てて対向位置せしめられた対向面間の隙間によって、該引戸の前記スリットを構成するようにした請求項８に記載の補強金具。
【請求項１０】
前記一対の補助金具の対向面間の一部に接続板部が形成されて、該一対の補助金具が一体的に接続されていると共に、該接続板部の縁部が、前記引戸の前記スリットの底部を構成する該引戸の切込み状の角部に対して流体密に重ね合わせられる請求項９に記載の補強金具。
【発明の詳細な説明】
【技術分野】
【０００１】
本発明は、引戸枠に対して引違い式や両引き式、片引き式等における窓戸や明り障子、襖、その他の各種引戸が開閉可能に組み付けられた引戸式建具を備えた建築物の耐震補強構造および当該耐震補強構造に用いられる引戸式建具や補強金具に関するものである。
【背景技術】
【０００２】
従来から、建築物の構造材に形成された適当な開口部には、引戸式建具が取り付けられている。引戸式建具は、開口縁部に固設される矩形枠状の引戸枠に対して、窓戸や明り障子、襖等の引戸が開閉可能に組み付けられた構造を呈している。ここで、構造材の開口部は、地震に際して崩れやすい部分の一つとされているため、その耐震強度の向上には大きな関心が寄せられている。開口部の形状が少しでも保持されることにより、生存スペースの確保や、窓ガラスの衝撃的な破壊を抑えてガラスの破片による負傷を抑えること等が期待されるからである。
【０００３】
そのような構造材の開口部を補強せしめる構造の一種として、例えば、特許文献１（特開２００３−２７８２９５号公報）や特許文献２（特開２００３−２３２１３３号公報）には、構造材の一部を構成する柱と梁の接続部分等に三角形状の補強金具を固定する構造が開示されており、また特許文献３（特開２００３−１６１０８０号公報）には、引戸枠の角部に補強金具を配設する構造が開示されている。
【０００４】
しかしながら、特許文献１や特許文献２に示される補強構造では、補強金具が、壁で覆われた柱と梁の接続部分等に固定されることから、特に既設の建築物に採用すると、壁を構造枠から剥がして補強金具を固定した後に、再度壁を固定する等して、施工が大掛かりになる場合が多い。その結果、施工時間が長くなったり、コストが嵩む等して、需要者に受け入れられ難い問題を内在していた。
【０００５】
また、特許文献３に示される補強構造においては、補強金具を引戸枠の角部に配設して引戸枠を補強することに伴い、開口部を補強しようとするものであるから、結局、地震に際して引戸枠の角部に一層大きな応力が生じて、補強金具の強度の負担が大きくなり、耐震強度の信頼性が十分に確保され難いおそれがあった。
【０００６】
【特許文献１】特開２００３−２７８２９５号公報
【特許文献２】特開２００３−２３２１３３号公報
【特許文献３】特開２００３−１６１０８０号公報
【発明の開示】
【発明が解決しようとする課題】
【０００７】
本発明は上述の如き事情を背景として為されたものであって、その解決課題とするところは、既設の建築物に対しても施工が容易となって、耐震工事の低コスト化が有利に図られ得ると共に、耐震強度が十分に確保され得る、建築物の新規な耐震補強構造と耐震補強構造に用いられる新規な構造の引戸式建具や新規な構造の補強金具を提供することにある。
【課題を解決するための手段】
【０００８】
以下、このような課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体および図面に記載され、或いはそれらの記載から当業者が把握することの出来る発明思想に基づいて認識されるものであることが理解されるべきである。
【０００９】
すなわち、本発明の特徴とするところは、構造材に固設された矩形状の引戸枠に対して引戸が開閉可能に組み付けられた引戸式建具を備えた建築物の耐震補強構造であって、引戸枠の四隅部のそれぞれにおいて、引戸枠の幅方向中間部分で枠内方に広がる平板形状の補強用隅金具を固定する一方、引戸において、引戸枠の四隅部に対応する角部に対して切込状のスリットを形成し、引戸が引戸枠内の端部に移動せしめられた際に、引戸枠の補強用隅金具が引戸のスリットに差し入れられて収容状態となるようにした建築物の耐震補強構造にある。
【００１０】
このような本発明に従う構造とされた建築物の耐震補強構造においては、引戸枠の四隅部に補強用隅金具が固定されていることに基づき引戸枠が有利に補強される。ここで、引戸が引戸枠内の端部に移動せしめられた際に、補強用隅金具が引戸のスリットに差し入れられて収容状態となることで、引戸が補強用隅金具を備えた引戸枠を介して構造材に連結されることとなり、特に地震等の大きな外力作用によって引戸枠が変形しても、引戸に安定して当接する。即ち、引戸枠の変形が補強用隅金具を介して引戸に効率良く伝達されることとなり、その結果、引戸の剛性を好適に利用して、引戸枠延いては建築物の剛性が効果的に向上されるのである。
【００１１】
また、補強用隅金具を引戸枠の隅部に固定したり、スリットを引戸の角部に形成したりする作業は、例えば、既設の構造材の壁部を剥がして柱と梁の接続部分に補強金具を固定する等の従来の耐震工事に比して、簡単とされて、作業時間の短縮が図られるのであり、既設の建築物に対しても好適に採用される。
【００１２】
しかも、補強用隅金具のスリットへの収容構造を利用して、引戸を引戸枠に対してより広い部分で当接させて、引戸のガタつきが抑えられる結果、引戸の耐風圧性が向上される。また、補強用隅金具が引戸に収容された状態では、外観に現れ難くされていることにより、外観に現れることに起因する意匠上の問題等が有利に解消される。更に、スリットを備えた引戸の角部と補強用隅金具が協働して、引戸枠の隅部が実質的に三重構造とされることにより、隅部乃至は補強用隅金具のすきま風の巻き込みに起因する異音の発生が抑えられると共に、風雨や結露水等の侵入が問題となり易い引戸枠の隅部の封止効果が向上される。
【００１３】
従って、本発明の建築物の耐震補強構造によれば、耐震工事の低コスト化が有利に図られると共に、耐震強度の信頼性が向上されることに加え、引戸の耐風圧効果や引戸枠の隅部の封止効果等が効果的に得られることもあって、需要者に受け入れられ易いものとなり、耐震建築の普及に寄与する。
【００１４】
なお、補強用隅金具のスリットへの収容状態下、補強用隅金具がスリットを備えた引戸に当接しているか否かは特に限定されるものでなく、例えば、補強用隅金具を引戸に当接させることで、引戸枠の変形を引戸に一層伝わり易くして、地震に際しての引戸枠の初期の変形を抑えたり、或いは補強用隅金具の一部乃至は全部を引戸から離隔させることによって、引戸枠における引戸のスムーズな移動性を好適に確保したり、或いはその両方の効果がある程度得られるように補強用隅金具と引戸の間の距離を設定することは、当業者が適宜に設定変更し得る事項の一つである。
【００１５】
また、本発明に係る建築物の耐震補強構造では、引戸枠を一体的な矩形枠体構造を有する金属製引戸枠とする構造が、好適に採用される。このような構造によれば、引戸枠の剛性がより向上されて、耐震強度が一層向上され得る。
【００１６】
また、本発明に係る建築物の耐震補強構造では、引戸が戸板部材と戸板部材の外周縁部に固設される矩形枠状の縁金具を含んで構成されて、戸板部材の角部が縁金具の隅部にまで達しない切り欠き形状を呈していると共に、縁金具には隅部と角部を貫通する通孔が形成されており、戸板部材の角部から縁金具の角部にかけて幅方向両側から挟み込むようにして一対の平板形状の補助金具を固定することで、戸板部材の角部における一対の補助金具の幅方向の対向面間に隙間を形成し、隙間が縁金具の通孔を通じて外部に開口することにより、引戸のスリットを構成した構造が、好適に採用される。このような構造によれば、引戸の強度の低下を抑えつつ、簡単な構造で、引戸の角部にスリットを形成することが出来、それによって、より低コストで且つ信頼性の高い耐震補強構造の実現に寄与する。
【００１７】
さらに、前述の本発明に係る建築物の耐震補強構造では、一対の補助金具の対向面間におけるスリットの底部側の対向部分に接続板部が一体形成されて、一対の補助金具が一体的に接続されていると共に、接続板部の縁部が、スリットの底部を構成する引戸の切込み状の角部に流体密に重ね合わせられている構造が、より好適に採用され得る。このような構造によれば、補助金具の強度向上に基づき、引戸の角部延いては引戸式建具を備えた耐震補強構造の強度が一層向上されるのであり、しかも接続板部が引戸の角部に流体密に重ね合わせられることによって、補助金具と引戸の角部の間への風雨や結露水等の侵入が一層有利に防止され得る。
【００１８】
また、本発明に係る建築物の耐震補強構造では、引戸枠の幅方向両側部分に枠内方に立ち上がる竪壁部を突設しており、引戸が引戸枠内の端部に移動せしめられて引戸枠の補強用隅金具が引戸のスリットに差し入れられた際に、一対の竪壁部の対向面間に引戸の端部が位置せしめられ、且つ竪壁部の突出先端部分が引戸の端部よりも枠内方に位置せしめられるようにした構造が、好適に採用される。このような構造によれば、竪壁部が引戸の端部や引戸枠の内壁部を保護して、引戸枠の隅部や引戸のスリットへの風雨や結露水等の侵入が一層有利に防止され得ると共に、すきま風の入り込みに起因する異音の発生がより好適に抑えられる。
【００１９】
また、本発明に係る建築物の耐震補強構造では、引戸の外周部分にジャッキ部材を設けて、ジャッキ部材が引戸から外方に突出して引戸枠に当接する構造が、好適に採用され得る。このような構造によれば、引戸が引戸枠に安定して保持されて、引戸枠の変形が引戸により効率良く伝達されることとなり、引戸の強度を利用して、引戸枠延いては建築物の剛性の更なる向上が図られ得る。特に、引戸が引戸枠内の端部に移動せしめられて引戸枠の補強用隅金具が引戸のスリットに差し入れられた際に、ジャッキ部材が引戸枠に当接する構造を採用すれば、引戸枠による引戸の保持の更なる安定が図られる。
【００２０】
さらに、本発明の特徴とするところは、矩形状の引戸枠に対して引戸が開閉可能に組み付けられて、建築物の構造材に固設される引戸式建具であって、引戸枠の四隅部のそれぞれにおいて、引戸枠の幅方向中間部分で枠内方に広がる平板形状の補強用隅金具を固定する一方、引戸において、引戸枠の四隅部に対応する角部に対して切込状のスリットを形成し、引戸が引戸枠内の端部に移動せしめられた際に、引戸枠の補強用隅金具が引戸のスリットに差し入れられて収容状態となるようにした引戸式建具にある。
【００２１】
このような本発明に従う構造とされた引戸式建具においては、補強用隅金具が引戸枠の四隅部に固定されていることで引戸枠が有利に補強されることに加え、補強用隅金具が引戸のスリットに収容されることによって、引戸が引戸枠に一体的に連結されて、引戸枠の強度が引戸の強度を利用して一層有利に向上される。それ故、本構造に係る引戸式建具が採用された建築物では、耐震強度が有利に向上され得る。
【００２２】
特に、引戸と引戸枠が工場で組み付けられた引戸式建具を施工現場に搬送して、構造材に形成された開口部に嵌め込み固定される場合には、施工が容易となり、そこにおいて、補強隅金具の引戸枠への固定や引戸のスリットの形成が工場で予めされることにより、施工の更なる容易化が図られ得る。
【００２３】
更にまた、本発明の特徴とするところは、構造材に固設された矩形状の引戸枠に対して引戸が開閉可能に組み付けられた引戸式建具に用いられる補強金具において、平板形状を有する補強用隅金具を備えており、補強用隅金具には、引戸枠の隅部に固定される隅側固定部と、引戸枠の隅部から枠内方に向かって突出して、引戸の角部に形成された切込状のスリットに差し入れられて収容状態となる差込部が設けられている補強金具にある。
【００２４】
このような本発明に従う構造とされた補強金具においては、隅側固定部が引戸枠の隅部に固定されることで、引戸枠の強度を向上させると共に、差込部が引戸のスリットに差し入れられて収容状態となることで、地震に際して引戸枠の変形を引戸に効率良く伝達することが出来、それによって、引戸の強度を利用して、引戸枠の強度を一層有利に向上させることが可能となる。それ故、本発明に係る補強金具は、耐震補強が要求される引戸式建具を備えた建築物に対して好適に採用され得る。
【００２５】
また、本発明に係る補強金具では、平板形状を有する補助金具の一対を備えており、補助金具には、引戸の角部に幅方向両側から挟み込むように固定される角側固定部が設けられていて、一対の補助金具が引戸の角部に固定されて幅方向に所定の距離を隔てて対向位置せしめられた対向面間の隙間によって、引戸のスリットを構成するようにした構造が、好適に採用される。このような構造によれば、前述の引戸のスリットが簡単な構造で実現されると共に、スリットの形成に起因する引戸の強度低下が好適に抑えられて、耐震強度の信頼性が安定して得られる。
【００２６】
さらに、前述の本発明に係る補強金具では、一対の補助金具の対向面間の一部に接続板部が形成されて、一対の補助金具が一体的に接続されていると共に、接続板部の縁部が、引戸のスリットの底部を構成する引戸の切込み状の角部に対して流体密に重ね合わせられる構造が、より好適に採用され得る。このような構造によれば、補助金具の強度向上に基づき、引戸式建具の強度が一層向上され得ると共に、引戸の角部と補助金具の流体密性が向上されることに基づき、引戸枠の隅部や引戸のスリットへの風雨や結露水等の侵入が有利に防止され得る。
【発明を実施するための最良の形態】
【００２７】
以下、本発明を更に具体的に明らかにするために、本発明の実施形態について説明する。先ず、図１，２には、本発明の建築物の耐震補強構造に係る一実施形態としての耐震補強構造に用いられる、引戸式建具としての引違い窓１０が示されている。この引違い窓１０は、引戸枠としての窓枠１２と引戸としての外障子１４および内障子１６を含んで構成されており、図示しない建築物の構造材における複数の柱や窓台等で構成される矩形状の開口部に対して固設されるようになっている。なお、以下の説明において、特に断りのない限り、上下方向や左右方向は、図１，２中の上下方向や左右方向をいう。
【００２８】
詳細には、窓枠１２は、図３にも示されているように、長手状の略平板形状の上枠１８や下枠２０、一対の縦枠２２，２２を備えている。上枠１８および下枠２０が上下方向に離隔配置されて互いに左右方向に延び、且つ一対の縦枠２２，２２が左右方向に離隔配置されて互いに上下方向に延びて、上枠１８や下枠２０の各端部と縦枠２２，２２の各端部とが互いに突き合わされてビスやボルト等で接続されていることにより、窓枠１２が全体として一体的な矩形枠体構造を有する金属製引戸枠とされている。
【００２９】
また、上枠１８や下枠２０、縦枠２２がアルミニウム合金等を用いて押出し成形されることに伴い、窓枠１２には、枠内方に向かって略平板形状に突出して各枠１８，２０，２２の長手方向に沿って略一定の高さ寸法で延びる外側レール２４ａや内側レール２４ｂ、仕切壁部２６、竪壁部２８が一体形成されている（図６，７参照。）。本実施形態では、外側レール２４ａと内側レール２４ｂ（以下、レール２４とも言う。）が、上下枠１８，２０の各幅方向（図６中、上下）の中間部分において、幅方向に所定距離を隔てて設けられている。また、仕切壁部２６が、各縦枠２２の幅方向中間部分に形成されて、上下枠１８，２０の各一対の外側レール２４ａと内側レール２４ｂの対向面間の略中央に位置せしめられている。
【００３０】
さらに、一対の竪壁部２８ａ，２８ｂが上下枠１８，２０の各幅方向両端部分に形成されている。更にまた、竪壁部２８ｃが、縦枠２２の幅方向中間部分に形成されて、上下枠１８，２０の外側レール２４ａよりも幅方向外方に位置せしめられていると共に、竪壁部２８ｄが、縦枠２２の幅方向他方（図６中、下）の端部に形成されて、上下枠１８，２０の他方の竪壁部２８ｂと略同一平面上に位置せしめられている。これにより、竪壁部２８がレール２４や仕切壁部２６よりも幅方向外方に位置せしめられていると共に、竪壁部２８の突出先端部分が、上下枠１８，２０に形成されるレール２４の突出先端部分や縦枠２２に形成される仕切壁部２６の突出先端部分よりも枠内方に位置せしめられている。換言すると、一対の竪壁部２８ａ，２８ｂや一対の竪壁部２８ｃ，２８ｄが協働して、上下枠１８，２０の内周部分や縦枠２２の内周部分が、それぞれポケット状を呈しており、上下枠１８，２０のポケット状部内に位置せしめられた縦枠２２のポケット状部内に、レール２４の基端部分や仕切壁部２６の基端部分が位置せしめられている。
【００３１】
ここで、窓枠１２の上側の各隅部には、補強用隅金具としての上隅金具３０の一対が、それぞれ設けられている。上隅金具３０は、図８〜１１にも示されているように、略直角三角形状の平板形状を有している。上隅金具３０の上下方向に延びる外周縁部には、幅方向一方（図９，１１中、上）に突出する補強リブ３２が一体形成されている。
【００３２】
各一対の上隅金具３０，３０の角部が、窓枠１２の上側の各隅部に重なり合うように位置せしめられて、上隅金具３０の上側の外周縁部が上枠１８の内周部分に重ね合わせられ、且つ各上隅金具３０の上側の外周部分が外側レール２４ａと内側レール２４ｂに幅方向に重ね合わせられて複数のビス３４で固定されていると共に、上隅金具３０の上下方向に延びる外周縁部および補強リブ３２が縦枠２２の内周部分に重ね合わせられて、補強リブ３２と縦枠２２が複数のビス３４で固定されている。これにより、上隅金具３０が、上枠１８および縦枠２２の長手方向と平行に延びるようにして窓枠１２の各上側隅部にそれぞれ一対固定されて、各一対の上隅金具３０，３０が窓枠の幅方向に外側レール２４ａと内側レール２４ｂの略離隔距離の分だけ離隔して対向位置せしめられており、上隅金具３０の斜め方向に延びる先端部分が、各隅部から枠内方に向かって突出している。
【００３３】
さらに、窓枠１２の下側の各隅部には、補強用隅金具としての下隅金具３６の一対が、それぞれ設けられている。下隅金具３６は、図１２，１３にも示されているように、略Ｌ字形状の平板形状を有している。下隅金具３６の上下方向に延びる外周縁部には、幅方向一方に突出する平板形状の補強リブ３８が一体形成されている。
【００３４】
各一対の下隅金具３６，３６の角部が、窓枠１２の下側の各隅部に重なり合うように位置せしめられて、下隅金具３６の下側の外周縁部が下枠２０の内周部分に重ね合わせられ、且つ下隅金具３６の下側の外周部分が外側レール２４ａと内側レール２４ｂに幅方向に重ね合わせられて複数のビス３４で固定されていると共に、下隅金具３６の上下方向に延びる外周縁部および補強リブ３８が縦枠２２の内周部分に重ね合わせられて、補強リブ３８と縦枠２２が複数のビス３４で固定されている。これにより、下隅金具３６が、下枠２０および縦枠２２の長手方向と平行に延びるようにして窓枠１２の各下側隅部にそれぞれ一対固定されて、各一対の下隅金具３６，３６が窓枠の幅方向に外側レール２４ａと内側レール２４ｂの略離隔距離の分だけ離隔して対向位置せしめられており、下隅金具３６のＬ字状の先端部分が、レール２４や仕切壁部２６、竪壁部２８よりも枠内方に突出している。
【００３５】
上述の説明からも明らかなように、上隅金具３０および下隅金具３６において、窓枠１２の隅部に固定される隅側固定部が、各左右方向および上下方向に延びる外周縁部や補強リブ３２，３８を含んで構成されている。
【００３６】
一方、外障子１４と内障子１６（以下、内外障子１４，１６とも言う。）は、図４，５にも示されているように、戸板部材としての光透過性を有する矩形平板形状のガラス板４０の外周部分に対して、矩形枠体形状の縁金具４２が取り付けられた構造とされている。
【００３７】
縁金具４２は、アルミニウム合金等を用いて押出形成された長手状の上框４４や下框４６、縦框４８、召合せ框５０を備えており、上框４４および下框４６が上下方向に離隔配置されて互いに左右方向に延び、且つ縦框４８および召合せ框５０が左右方向に離隔配置されて互いに上下方向に延びて、上框４４や下框４６の各端部と縦框４８や召合せ框５０の各端部とが互いに突き合わされてビス等で接続されていることにより、全体として一体的な矩形枠体構造を有している。各框４４，４６，４８，５０の内周縁部には、長手方向に沿って延びる溝部が形成されており、図示しない合成樹脂材乃至はゴム材等の弾性材からなるグレイジングチャンネルを介して内外障子１４，１６の各外周縁部が嵌め込まれることにより、縁金具４２が内外障子１４，１６の各外周部分に嵌合固定されている。
【００３８】
また、外障子１４と内障子１６における上框４４の外周縁部と下框４６の外周縁部には、外側レール２４ａと内側レール２４ｂの形状や大きさにそれぞれ対応した、レール溝５２ａ，５２ｂが形成されている。更に、内外障子１４，１６の下框４６の各レール溝５２ａ，５２ｂには、長手方向に離隔して一対のローラ５４，５４が設けられている。
【００３９】
さらに、外障子１４の召合せ框５０にフック金具５６が固定されている一方、内障子１６の召合せ框５０にクレセント金具５８が回転可能に配設されている。引違い窓１０の後述する閉状態（図１の状態）で、内外障子１４，１６の召合せ框５０，５０が互いに召し合わされた際に、クレセント金具５８が回転してフック金具５６に係止されることによって、引違い窓１０が施錠されるようになっている。
【００４０】
そこにおいて、内外障子１４，１６のガラス板４０における上側の各角部には、上切込み部６０が形成されている。上切込み部６０は、縁金具４２の角部よりも枠内方を斜めに延びており、それによって、ガラス板４０の上側の角部が、三角状に切り込まれた形状とされている。
【００４１】
このような内外障子１４，１６の上側の各角部には、一対の補助金具としての一対の上角金具６２，６２が設けられている。上角金具６２は、略直角三角形状の平板形状を有している。上角金具６２の上下方向に延びる外周縁部と左右方向に延びる外周縁部には、幅方向外方に突出するようにして補強リブ６４が一体形成されている。
【００４２】
特に本実施形態では、一対の上角金具６２，６２が幅方向（図９，１１中、上下）に所定距離を隔てて対向位置せしめられていると共に、斜めに延びる各外周縁部の対向面間において、略一定の矩形断面で該外周縁部に沿って延びる接続板部６６が一体形成されており、それによって、一対の上角金具６２，６２が接続板部６６を介して一体的に接続されている。
【００４３】
また、内外障子１４，１６における縁金具４２の４つの角部には、通孔６８が形成されている。通孔６８は、縁金具４２の内周縁部と外周縁部を厚さ方向に貫通しており、縁金具４２の角部を挟んで上框４４または下框４６の長手方向と縦框４８または召合せ框５０の長手方向に沿って、各框４４，４６，４８，５０の長手方向中央部分に至らない所定の長さで延びている。
【００４４】
これら一対の上角金具６２，６２の角部が、内外障子１４，１６の縁金具４２の上側の隅部に位置せしめられて、上角金具６２の上下方向及び左右方向に延びる外周縁部と各補強リブ６４が縁金具４２の上側の通孔６８に差し込まれると共に、通孔６８の周壁部を構成する上框４４と縦框４８乃至は召合せ框５０に幅方向に重ね合わせられた補強リブ６４が複数のビス３４で固定されている。この固定に伴い、一対の上角金具６２，６２の接続板部６６の縁部が、ガラス板４０の上切込み部６０の縁部に流体密に重ね合わせられている。これにより、一対の上角金具６２，６２が、ガラス板４０の切り欠き形状の上切込み部６０を埋めるようにし、且つ内外障子１４，１６の角部を幅方向両側から挟み込みようにして固定されており、一対の上角金具６２，６２の対向面間の隙間が、縁金具４２の通孔６８を通じて外部に開口していることによって、内外障子１４，１６の上側の角部には、略三角形状に切り込まれた上スリット７０，７０が形成されている。
【００４５】
さらに、内外障子１４，１６のガラス板４０における下側の各角部には、下切込み部７２が形成されている。下切込み部７２は、縁金具４２の角部よりも枠内方を上下方向および左右方向に直交するように延びており、それによって、ガラス板４０の下側の角部が、Ｌ字状に切り込まれた形状とされている。
【００４６】
このような内外障子１４，１６の下側の各角部には、一対の補助金具としての一対の下角金具７４，７４が設けられている。下角金具７４は、略Ｌ字状の平板形状を有している。下角金具７４の上下方向に延びる外周縁部と左右方向に延びる外周縁部には、幅方向外方に突出するようにして補強リブ７６が一体形成されている。
【００４７】
一対の下角金具７４，７４が、前述の上角金具６２と同様に、幅方向に所定距離を隔てて対向位置せしめられていると共に、Ｌ字状に延びる各内周縁部の対向面間において、略一定の矩形断面で該内周縁部に沿って延びる接続板部７８が一体形成されており、それによって、一対の下角金具７４，７４が接続板部７８を介して一体的に接続されている。
【００４８】
これら一対の下角金具７４，７４の角部が、内外障子１４，１６の縁金具４２の下側の隅部に位置せしめられて、下角金具７４の上下方向及び左右方向に延びる外周縁部と各補強リブ７６が縁金具４２の下側の通孔６８に差し込まれると共に、通孔６８の周壁部を構成する下框４６と縦框４８乃至は召合せ框５０に幅方向に重ね合わせられた補強リブ７６が複数のビス３４で固定されている。この固定に伴い、一対の下角金具７４，７４の接続板部７８の縁部が、ガラス板４０の下切込み部７２の縁部に流体密に重ね合わせられている。これにより、一対の下角金具７４，７４が、ガラス板４０の切り欠き形状の下切込み部７２を埋めるようにし、且つ内外障子１４，１６の角部を幅方向両側から挟み込むようにして固定されており、一対の下角金具７４，７４の対向面間の隙間が、縁金具４２の通孔６８を通じて外部に開口していることで、内外障子１４，１６の下側の角部には、略Ｌ字形状に切り込まれた下スリット８０，８０が形成されている。
【００４９】
上述の説明からも明らかなように、上角金具６２および下角金具７４において、内外障子１４，１６の角部に幅方向両側から挟み込むように固定される角側固定部が、各左右方向および上下方向に延びる外周縁部や補強リブ６４，７６を含んで構成されている。
【００５０】
また、本実施形態では、内外障子１４，１６の上框４４において、上スリット７０の底側の縁部よりも長手方向内側に位置するようにして上角金具６２付近に、一対のジャッキ部材８２，８２が設けられている。特に本実施形態では、各ジャッキ部材８２が、上角金具６２付近に設けられてる。ジャッキ部材８２は、図１４にも示されているように、ダイヤル金具８４とジャッキボルト８６を備えている。ダイヤル金具８４は、略円環形状を有しており、内周面に雌ねじ部が形成されていると共に、外周面にローレット加工が施されている。また、ジャッキボルト８６は、略円柱形状を有しており、軸方向の中間部分から軸方向一方（図１４中、下）の端部にかけての外周面に雄ねじ部が形成されていると共に、軸方向他方の端部に円形状の当接ゴム８８が設けられている。ジャッキボルト８６の雄ねじ部と当接ゴム８８の間には、軸直角方向外方に向かって係止ピン９０が突設されている。
【００５１】
かかるジャッキボルト８６がダイヤル金具８４に螺着された形態で、上框４４内に設けた収容凹所９２に収容配置されている。収容凹所９２は、その略全体がジャッキボルト８６およびダイヤル金具８４よりも一回り大きな形状を有しており、収容凹所９２の一部が上框４４の幅方向の外周面に開口して、ダイヤル金具８４の周上の一部が突出して、ダイヤル金具８４をジャッキボルト８６の中心軸回りに回転可能に支持している。また、収容凹所９２における当接ゴム８８を収容せしめた端部が、上框４４のレール溝５２ａ，５２ｂを避けた上端面に開口している。さらに、収容凹所９２のジャッキボルト８６の周囲における周上の一箇所には、所定の長さでジャッキボルト８６の軸方向と平行に延びる係合溝９４が形成されており、係止ピン９０の先端部分が係合溝９４の周壁部に当接するようになっている。
【００５２】
当該構造のジャッキ部材８２においては、図１５にも示されているように、上框４４の幅方向端面に形成された収容凹所９２の開口部からダイヤル金具８４を周方向一方向に回転操作すると、係止ピン９０が係合溝９４の周壁部に当接した状態下、ジャッキボルト８６が軸方向にねじ送りされて、当接ゴム８８が上框４４の上端面から上方に突出し、またダイヤル金具８４を周方向他方向に回転操作すると、当接ゴム８８が上框４４の収容凹所９２内に位置せしめられるようになっている。
【００５３】
このような外障子１４は、上框４４のレール溝５２ａに上枠１８の外側レール２４ａが所定の隙間をもって嵌め入れられると共に、下框４６のレール溝５２ａに下枠２０の外側レール２４ａが所定の隙間をもって嵌め入れられて、外障子１４の一対のローラ５４，５４が下枠２０の外側レール２４ａ上に走行可能にセットされることによって、上下の外側レール２４ａ，２４ａに沿って左右方向に移動可能に窓枠１２に取り付けられている。また、内障子１６における上框４４のレール溝５２ｂと下框４６のレール溝５２ｂに対して、上枠１８の内側レール２４ｂと下枠２０の内側レール２４ｂがそれぞれ所定の隙間をもって嵌め入れられると共に、内障子１６の一対のローラ５４，５４が、下枠２０の内側レール２４ｂ上に走行可能にセットされることで、内障子１６が、上下の内側レール２４ｂ，２４ｂに沿って左右方向に移動可能に窓枠１２に取り付けられている。
【００５４】
すなわち、窓枠１２に形成された各一対の外側レール２４ａ，２４ａおよび内側レール２４ｂ、２４ｂを含んでなる二筋のレール２４，２４にそれぞれ障子１４，１６が移動可能に取り付けられることによって、引違い窓１０が構成されている。このことからも明らかなように、本実施形態において引違い窓１０に用いられる補強金具が、窓枠１２に固定される上隅金具３０や下隅金具３６、内外障子１４，１６に固定される上角金具６２や下角金具７４を含んで構成されている。
【００５５】
この引違い窓１０は、工場で製造されて、窓枠１２に内外障子１４，１６が組み込まれた状態で施工現場に搬送される。現場では、図示しない建築物の構造材に形成された開口部に引違い窓１０が嵌め込まれて、外障子１４が室外側に位置せしめられ、且つ内障子１６が室内側に位置せしめられるようにして、窓枠１２が構造材の開口縁部に固定されることによって、引違い窓１０が構造材に固設されて、かかる引違い窓１０を備えた建築物の耐震補強構造が実現される。
【００５６】
なお、ジャッキ部材８２のダイヤル金具８４は、窓枠１２の竪壁部２８ｂの内側に位置せしめられて、竪壁部２８ｂにより外観上隠れた形態を有しているが、上框４４から突出するダイヤル金具８４の外周面と竪壁部２８ｂの間に隙間が設けられていることにより、かかる隙間を通じてダイヤル金具８４を操作することが可能とされている。また、内外障子１４，１６を窓枠１２のレール２４に沿って移動させる際に、ジャッキ部材８２の当接ゴム８８は収容凹所９２内に位置せしめられた状態とされている。
【００５７】
引違い窓１０においては、内外障子１４，１６の召合せ框５０，５０が窓枠１２の略中央で重なり合うように召し合わされて、外障子１４の縦框４８の縁部が、窓枠１２の一方（図１，２中、左）の縦枠２２における仕切壁部２６と竪壁部２８ｃの間の内壁部に重ね合わせられると共に、内障子１６の縦框４８の縁部が、窓枠１２の他方（図１，２中、右）の縦枠２２における仕切壁部２６と竪壁部２８ｄの間の内壁部に重ね合わせられることによって、閉じた状態とされる。
【００５８】
そこにおいて、引違い窓１０が閉じられた状態下、外障子１４の縦框４８側に設けられた上下のスリット７０，８０に対して、窓枠１２の一方（図１，２中、左）の縦枠２２側に設けられた上隅金具３０と下隅金具３６が、所定の隙間寸法をもって差し込まれて、収容状態とされている。また、内障子１６の縦框４８側に設けられた上下のスリット７０，８０に対して、窓枠１２の他方（図１，２中、右）の縦枠２２側に設けられた上隅金具３０と下隅金具３６が、所定の隙間寸法をもって差し込まれて、収容状態とされている。このことからも、明らかなように、窓枠１２の隅部から枠内方に向かって突出して、内外障子１４，１６の角部の上下のスリット７０，８０に差し入れられて収容状態となる差込部が、上下の隅金具３０，３６の各突出先端部分を含んで構成されている。
【００５９】
さらに、内外障子１４，１６の召合せ框５０側に設けられた各二対の上角金具６２，６２，６２，６２と下角金具７４，７４，７４，７４が窓枠１２の中央部分に位置せしめられて、窓枠１２の上枠１８および下枠２０を上下方向に支持せしめている。
【００６０】
また、引違い窓１０においては、内外障子１４，１６の召合せ框５０，５０が窓枠１２の略中央で重なり合うように召し合わされる状態が解除されて、内外障子１４，１６の少なくとも一方の縦框４８が窓枠１２の縦枠２２から離隔することで、開いた状態となり、内外障子１４，１６の縦框４８側に設けられたスリット７０，８０における隅金具３０，３６の収容状態が解除される。
【００６１】
ここで、特に本実施形態では、窓枠１２の各隅部に一対の隅金具３０，３６が設けられていると共に、内外障子１４，１６の召合せ框５０，５０側にもスリット７０，８０が設けられていることから、召合せ框５０が縦枠２２に重ね合わせられ、乃至は縦枠２２に近い位置に移動すると、召合せ框５０側のスリット７０，８０に隅金具３０，３６が差し込まれて収容状態とすることも可能とされている。
【００６２】
また、本実施形態では、ジャッキ部材８２のダイヤル金具８４を操作して、当接ゴム８８を上框から上方に向かって突出させて、窓枠１２の上枠１８に当接させることが可能となり、それによって、上枠１８がジャッキ部材８２を介して内外障子１４，１６を当接支持するようになっている。
【００６３】
上述の如き引違い窓１０を備えた建築物の耐震補強構造においては、窓枠１２の四隅部に各一対の上隅金具３０と下隅金具３６が固定されていることによって窓枠１２が有利に補強されることに加え、内外障子１４，１６が窓枠１２内の端部に移動せしめられた引違い窓１０の閉状態で、隅金具３０，３６が内外障子１４，１６のスリット７０，８０に差し入れられて収容状態となる。これにより、内外障子１４，１６が隅金具１４，１６を介して窓枠１２に連結されることとなり、地震等の大きな外力作用によって窓枠１２が変形しても、特に上角金具６２や下角金具７４で角部が補強された内外障子１４，１６に安定して当接することから、内外障子１４，１６の高い剛性を利用して、引違い窓１０延いては建築物の剛性が効果的に向上されるのである。
【００６４】
また、本実施形態では、内外障子１４，１６の召合せ框５０の側にもスリット７０，８０が設けられていることによって、引違い窓１０が開いた状態でも、当該スリット７０，８０に隅金具１４，１６を差し入れて内外障子１４，１６を窓枠１２に連結することが可能となる。それによって、引違い窓１０が開いた状態下、不意に地震が発生しても、窓枠１２が内外障子１４，１６を利用して好適に補強せしめられることとなり、地震に対する安心感が向上され得る。
【００６５】
特に本実施形態では、窓枠１２と内外障子１４，１６において、上側に配される上隅金具３０と上角金具６２が三角形状とされて、十分な強度が得られることから、一般に地震による変形が大きな上側部分の耐震強度の信頼性が向上され得る。
【００６６】
一方、引違い窓１０の上側部分に比して地震による変形が小さいと考えられる、下側部分においては、Ｌ字状の下隅金具３６と下角金具７４が採用されていることにより、必要な耐震強度を十分に確保しつつ、補強金具の存在を目立ち難くさせて、窓本来の意匠性を向上させることが出来る。
【００６７】
さらに、本実施形態では、内外障子１４，１６の上角金具６２の近くに設けられたジャッキ部材８２を用いて、内外障子１４，１６を窓枠１２に当接支持せしめることによって、窓枠１２の内外障子１４，１６に対する支持強度を向上させて、耐震強度を一層向上させることが可能となる。特に、内外障子１４，１６の頻繁に使用しない方のものを窓枠１２の端部に移動せしめて、縦框４８を縦枠２２に重ね合わせ、スリット７０，８０に隅金具３０，３６を収容せしめた状態下、当該障子１４（１６）をジャッキ部材８２，８２で上枠１８に当接支持せしめた状態を保持させることによって、ジャッキ部材８２の操作の煩わしさが軽減されつつ、耐震性能の更なる向上が図られ得る。
【００６８】
また、本実施形態では、工場において、隅部に隅金具３０，３６が固定された窓枠１２と角部に角金具６２，７４が固定された内外障子１４，１６が組み付けられ、それが施工現場に運ばれて、建築物に組み付けられるようになっていることから、施工が簡単となる。
【００６９】
しかも、本実施形態に係る建築物の耐震補強構造によれば、図示しない従来構造の既設の引違い窓に対しても容易に施工することが出来る。即ち、内外障子を窓枠から取り外して、窓枠の隅部に上隅金具３０や下隅金具３６を固定すると共に、内外障子のガラス板の縁金具を取り外してガラス板の角部をダイヤモンドカッタ等で切断して切込み部６０，７２を形成すると共に、縁金具に通孔を形成し、更に縁金具をガラス板の外周部分に固定すると共に、縁金具の角部に上角金具６２や下角金具７４を固定することで、内外障子の角部に上スリット７０や下スリット８０を形成し、これら内外障子を再び窓枠に嵌め込むことにより、施工が完了する。この施工は、例えば、既設の構造材の壁部を剥がして柱と梁の接続部分に補強金具を固定する等の従来の耐震工事に比して、簡単とされて、作業時間の短縮が有利に図られ得る。
【００７０】
さらに、隅金具３０，３６が内外障子１４，１６の角部における一対の上角金具６２，６２乃至は下角金具７４，７４の各対向面間のスリット７０，８０に収容されることにより、一対の角金具６２，６２（７４，７４）と隅金具３０（３６）が協働して、窓枠１２の隅部が実質的に三重構造とされる。その結果、窓枠１２の隅部乃至は隅金具３０，３６のすきま風の巻き込みに起因する異音の発生が抑えられると共に、風雨や結露水等の侵入が問題となり易い窓枠１２の隅部の封止効果が向上される。
【００７１】
加えて、本実施形態に係る引違い窓１０では、窓枠１２の幅方向両端部分に竪壁部２８が突設されて、引違い窓１０が閉じられた状態下、内外障子１４，１６における上框４４や下框４６、縦框４８等の各外周縁部が、上下枠１８，２０に形成された一対の竪壁部２８ａ，２８ｂの対向面間と縦枠２２に形成された一対の竪壁部２８ｃ、２８ｄの対向面間の何れの間にも位置せしめられており、更に竪壁部２８の突出先端部分が各框４４，４６，４８の外周縁部よりも枠内方に位置せしめられている。これにより、スリット７０，８０や窓枠１２の隅部等のシール性が向上されることとなり、風雨や結露水等の侵入が一層効果的に防止される。
【００７２】
従って、本実施形態に係る引違い窓１０を備えた建築物の耐震補強構造によれば、耐震工事の低コスト化が有利に図られると共に、耐震強度の信頼性が向上されることに加え、窓枠１２の隅部の封止効果等が効果的に得られることもあって、需要者に受け入れられ易いものとなり、耐震建築の普及に寄与する。
【００７３】
以上、本発明の一実施形態について詳述してきたが、これはあくまでも例示であり、かかる実施形態における具体的な記載によって、本発明は、何等限定されるものでなく、当業者の知識に基づいて種々なる変更、修正、改良等を加えた態様で実施可能であり、また、そのような実施態様が、本発明の趣旨を逸脱しない限り、何れも、本発明の範囲内に含まれるものであることは、言うまでもない。
【００７４】
例えば、引違い窓１０や隅金具３０，３６、角金具６２，７４、スリット７０，８０等における形状や大きさ、位置、構造、数等の形態は、例示の如きものに限定されるものでない。具体的に、前記実施形態では、上隅金具３０や上角金具６２が三角形状とされたり、下隅金具３６や下角金具７４がＬ字形状とされていたが、例えば、これらの形状を互いに代えたり、或いは矩形状やその他の多角形状が適宜に組み合わせて採用されても良い。
【００７５】
また、内外障子１４，１６の角部にスリット７０，８０を形成するにあたり、前記実施形態において採用されていた上角金具６２や下角金具７４、縁金具４２は必須の構成要件でなく、例えば内外障子として強化ガラスが採用されたり、或いはガラス板でなく、鉄板等の高強度な部材が採用される場合にあっては、内外障子の角部に対してスリットを直接に形成することも可能である。
【００７６】
また、前記実施形態では、本発明が引違い窓１０に適用されるものの具体例が示されていたが、両引き窓や片引き窓、上げ下げ窓、上げ込み窓等の各種窓、その他襖や明り障子等の各種引戸に対して適用可能であることは勿論である。
【００７７】
具体的に、例えば、木造家屋の鴨居と敷居を備えた矩形状の開口部に対して一体的な矩形枠体構造を有する金属製引戸枠を嵌め込んで固定し、該金属製引戸枠の隅部に補強用隅金具を固定すると共に、襖や明り障子等の引戸の角部にスリットを形成して、引戸を金属製引戸枠に取り付けることにより、本発明に係る建築物の耐震補強構造が実現されるようにしても良い。
【００７８】
或いは、構造材における鴨居や敷居を備えた矩形状の開口部の縁部を引戸枠として採用し、開口部の隅部に補強用隅金具を直接に固定して、スリットを備えた引戸を開口部に直接に取り付けることにより、本発明の耐震補強構造を実現することも可能である。
【図面の簡単な説明】
【００７９】
【図１】本発明の一実施形態としての耐震補強構造に用いられる引違い窓が閉まった状態を示す正面図。
【図２】同引違い窓が開いた状態を示す正面図。
【図３】同引違い窓の一部を構成する窓枠の正面図。
【図４】同引違い窓の一部を構成する外障子の正面図。
【図５】同引違い窓の一部を構成する内障子の正面図。
【図６】図２のＶＩ−ＶＩ断面図。
【図７】図２のＶＩＩ−ＶＩＩ矢視図。
【図８】同引違い窓の一部を構成する上隅金具と上角金具の一形態を示す正面図。
【図９】図８に対応した形態の上隅金具と上角金具を示す平面図。
【図１０】同引違い窓の一部を構成する上隅金具と上角金具の別の一形態を示す正面図。
【図１１】図１０に対応した形態の上隅金具と上角金具を示す平面図。
【図１２】同引違い窓の一部を構成する下隅金具と下角金具の一形態を示す正面図。
【図１３】同引違い窓の一部を構成する下隅金具と下角金具の別の一形態を示す正面図。
【図１４】同引違い窓の一部を構成するジャッキ部材が上框に収容された一形態を示す縦断面図。
【図１５】同ジャッキ部材が上框に収容された別の一形態を示す縦断面図。
【符号の説明】
【００８０】
１０：引違い窓、１２：窓枠、１４：外障子、１６：内障子、３０：上隅金具、３６：下隅金具、７０：上スリット、８０：下スリット
【図１】
2008267005.tif 000003
【図２】
2008267005.tif 000004
【図３】
2008267005.tif 000005
【図４】
2008267005.tif 000006
【図５】
2008267005.tif 000007
【図６】
2008267005.tif 000008
【図７】
2008267005.tif 000009
【図８】
2008267005.tif 000010
【図９】
2008267005.tif 000011
【図１０】
2008267005.tif 000012
【図１１】
2008267005.tif 000013
【図１２】
2008267005.tif 000014
【図１３】
2008267005.tif 000015
【図１４】
2008267005.tif 000016
【図１５】
2008267005.tif 000017